(57)【要約】【課題】干渉波受信電力の測定精度を安定させる。【解決手段】受信データから遅延プロファイルを算出する遅延プロファイル算出部１０１と、遅延プロファイル中のどのサンプルをマスク処理するかを判定するのに用いるマスクしきい値を算出するマスクしきい値算出部１０２と、遅延プロファイル及びマスクしきい値に基づき、相関電力値がマスクしきい値以上のサンプルをマスク処理する遅延プロファイルマスク処理部１０３と、マスク処理されたマスク後の遅延プロファイルを用いて、マスク処理されていないサンプルの平均相関電力値を算出する平均相関電力値算出部１０４と、遅延プロファイルを用いてパスサーチ処理を行い、割り当てるパスのパス位相情報を出力するフィンガ部パス割り当て部１０５とを備えている。【選択図】　　　図１
2004134843.tif 000002
【特許請求の範囲】
【請求項１】
干渉波受信電力を測定するＣＤＭＡ受信装置において、受信データから遅延プロファイルを算出する遅延プロファイル算出手段と、前記遅延プロファイルからマスクしきい値を算出するマスクしきい値算出手段と、前記マスクしきい値を用いて前記遅延プロファイルをマスクし、マスク後遅延プロファイルを作成する遅延プロファイルマスク処理手段と、前記マスク後遅延プロファイルから平均相関電力値を算出することにより、干渉波受信電力を測定する平均相関電力値算出手段と、を具備することを特徴とするＣＤＭＡ受信装置。
【請求項２】
干渉波受信電力を測定するＣＤＭＡ受信装置において、アンテナ毎に受信データから遅延プロファイルを算出する遅延プロファイル算出手段と、アンテナ毎に前記遅延プロファイルからマスクしきい値を算出するマスクしきい値算出手段と、アンテナ毎に前記マスクしきい値を用いて前記遅延プロファイルをマスクし、マスク後遅延プロファイルを作成する遅延プロファイルマスク処理手段と、アンテナ毎に前記マスク後遅延プロファイルから平均相関電力値を算出することにより、アンテナ毎の干渉波受信電力を測定する平均相関電力値算出手段と、前記アンテナ毎の干渉波受信電力をアンテナ間で重み付け加算して干渉波受信電力を合成する干渉波受信電力合成手段と、を具備することを特徴とするＣＤＭＡ受信装置。
【請求項３】
干渉波受信電力を測定するＣＤＭＡ受信装置において、アンテナ毎に受信データから遅延プロファイルを算出する遅延プロファイル算出手段と、アンテナ毎に前記遅延プロファイルからマスクしきい値を算出するマスクしきい値算出手段と、アンテナ毎に前記マスクしきい値を用いて前記遅延プロファイルをマスクし、マスク後遅延プロファイルを作成する遅延プロファイルマスク処理手段と、アンテナ毎に前記マスク後遅延プロファイルから平均相関電力値を算出することにより、アンテナ毎の干渉波受信電力を測定する平均相関電力値算出手段と、前記アンテナ毎の干渉波受信電力をアンテナ間で重み付け加算して干渉波受信電力を合成する干渉波受信電力合成手段と、前記遅延プロファイルを用いて、逆拡散手段へのパス割り当てを行うパス割り当て手段と、受信データを逆拡散し逆拡散結果を出力する逆拡散手段と、前記逆拡散結果から希望波受信電力を測定する希望波受信電力測定手段と、前記希望波受信電力と前記合成後の干渉波受信電力とから希望波受信電力対干渉波受信電力比を測定する希望波受信電力対干渉波受信電力比測定手段と、を具備することを特徴とするＣＤＭＡ受信装置。
【発明の詳細な説明】
【０００１】
【発明の属する技術分野】
本発明は、ＣＤＭＡ（Ｃｏｄｅ　Ｄｉｖｉｓｉｏｎ　Ｍｕｌｔｉｐｌｅ　Ａｃｃｅｓｓ）移動通信システムにおける基地局や移動局が備えるＣＤＭＡ受信装置に係り、特にパイロットシンボルを用いて受信電力を測定するＣＤＭＡ受信装置に関する。
【０００２】
【従来の技術】
ＣＤＭＡ移動通信システムでは、送信電力制御が広く行われている。例えば、上り回線において同じ送信電力で複数の移動局が送信した場合を考える。このとき、一般に基地局から離れるほど伝搬損失による受信信号の減衰が大きいので、基地局から離れたところに居る移動局の信号が、近くに居る移動局の信号にマスクされてしまう「遠近問題」が生ずる。この遠近問題を解決するために、希望波受信電力（ＲＳＣＰ：Ｒｅｃｅｉｖｅｄ　Ｓｉｇｎａｌ　Ｃｏｄｅ　Ｐｏｗｅｒ）と干渉波受信電力（ＩＳＣＰ：Ｉｎｔｅｒｆｅｒｅｎｃｅ　Ｓｉｇｎａｌ　Ｃｏｄｅ　Ｐｏｗｅｒ）の比である希望波受信電力対干渉波受信電力比（ＳＩＲ：Ｓｉｇｎａｌ−ｔｏ−Ｉｎｔｅｒｆｅｒｅｎｃｅ　ｐｏｗｅｒ　ｒａｔｉｏ）に基づく送信電力制御が行われている。
【０００３】
このＲＳＣＰ，ＩＳＣＰ，ＳＩＲの測定方法としては、従来、特許文献１（無線通信機および無線通信機の消費電力制御方法）にて開示されている方法が知られている。以下、図７を参照して概要を説明する。なお、図７は、従来のＣＤＭＡ受信装置の構成を示すブロック図である。
【０００４】
図７に示すＣＤＭＡ受信装置は、各フィンガからの逆拡散結果と有効フィンガ制御信号とが入力される有効フィンガ選択部７０１と、有効フィンガ選択部７０１の出力を受けるフィンガ毎全受信電力・ＲＳＣＰ測定部７０２と、フィンガ毎全受信電力・ＲＳＣＰ測定部７０２の出力を受けるフィンガ間全受信電力・ＲＳＣＰ合成部７０３と、フィンガ間全受信電力・ＲＳＣＰ合成部７０３の出力を受けてＳＩＲ・ＲＳＣＰを出力するＳＩＲ測定部７０４とを備えている。
【０００５】
以上の構成において、有効フィンガ選択部７０１では、各フィンガから入力される逆拡散結果の中から、有効フィンガ制御信号が指定する有効フィンガのみから入力される逆拡散結果が選択される。フィンガ毎全受信電力・ＲＳＣＰ測定部７０２では、有効フィンガ選択部７０１から入力される各有効フィンガの逆拡散結果毎に全受信電力およびＲＳＣＰが測定される。フィンガ間全受信電力・ＲＳＣＰ合成部７０３では、フィンガ毎全受信電力・ＲＳＣＰ測定部７０２にて測定された各フィンガ毎の全受信電力およびＲＳＣＰがよく知られた最大比合成によって合成され、合成結果の全受信電力・ＲＳＣＰが測定される。ＳＩＲ測定部７０４では、フィンガ間全受信電力・ＲＳＣＰ合成部７０３にて測定された合成結果の全受信電力・ＲＳＣＰからからＩＳＣＰ、ＳＩＲが測定される。
【０００６】
このように、従来のＣＤＭＡ受信装置では、フィンガ毎に得られるパイロットシンボルの逆拡散結果に基づき、フィンガ毎のＲＳＣＰ，ＩＳＣＰを測定し、フィンガ間で合成してＲＳＣＰ，ＩＳＣＰを測定し、ＳＩＲを測定している。
【０００７】
【特許文献１】
特開２００１−２４５５７号公報
【０００８】
【発明が解決しようとする課題】
しかしながら、フィンガからの出力を用いて干渉波受信電力を測定する場合には、受信状態が変化すると、フィンガに割り当てるパスの数が変動してしまうので、合成結果の干渉波受信電力の測定精度が変動してしまうという問題がある。
【０００９】
本発明は、かかる点に鑑みてなされたものであり、干渉波受信電力の測定精度が安定するＣＤＭＡ受信装置を提供することを目的とする。
【００１０】
【課題を解決するための手段】
本発明のＣＤＭＡ受信装置は、干渉波受信電力を測定するＣＤＭＡ受信装置において、受信データからから遅延プロファイルを算出する遅延プロファイル算出手段と、前記遅延プロファイルからマスクしきい値を算出するマスクしきい値算出手段と、前記マスクしきい値を用いて前記遅延プロファイルをマスクし、マスク後遅延プロファイルを作成する遅延プロファイルマスク処理手段と、前記マスク後遅延プロファイルから、平均相関電力値を算出することにより、干渉波受信電力を測定する平均相関電力値算出手段と、を具備する構成を採る。
【００１１】
この構成によれば、フィンガに割り当てているパス数に依存することなく、干渉波受信電力を十分に平均化できるので、干渉波受信電力測定精度を安定させることができる。
【００１２】
また、本発明ＣＤＭＡ受信装置は、干渉波受信電力を測定するＣＤＭＡ受信装置において、アンテナ毎に受信データから遅延プロファイルを算出する遅延プロファイル算出手段と、アンテナ毎に前記遅延プロファイルからマスクしきい値を算出するマスクしきい値算出手段と、アンテナ毎に前記マスクしきい値を用いて前記遅延プロファイルをマスクし、マスク後遅延プロファイルを作成する遅延プロファイルマスク処理手段と、アンテナ毎に前記マスク後遅延プロファイルから平均相関電力値を算出することにより、アンテナ毎の干渉波受信電力を測定する平均相関電力値算出手段と、前記アンテナ毎の干渉波受信電力をアンテナ間で重み付け加算して干渉波受信電力を合成する干渉波受信電力合成手段と、を具備する構成を採る。
【００１３】
この構成によれば、アンテナ間で干渉波受信電力を合成して干渉波受信電力を測定するので、干渉波受信電力測定精度を向上させることができる。
【００１４】
また、本発明のＣＤＭＡ受信装置は、干渉波受信電力を測定するＣＤＭＡ受信装置において、アンテナ毎に受信データから遅延プロファイルを算出する遅延プロファイル算出手段と、アンテナ毎に前記遅延プロファイルからマスクしきい値を算出するマスクしきい値算出手段と、アンテナ毎に前記マスクしきい値を用いて前記遅延プロファイルをマスクし、マスク後遅延プロファイルを作成する遅延プロファイルマスク処理手段と、アンテナ毎に前記マスク後遅延プロファイルから平均相関電力値を算出することにより、アンテナ毎の干渉波受信電力を測定する平均相関電力値算出手段と、前記アンテナ毎の干渉波受信電力をアンテナ間で重み付け加算して干渉波受信電力を合成する干渉波受信電力合成手段と、前記遅延プロファイルを用いて、逆拡散手段へのパス割り当てを行うパス割り当て手段と、受信データを逆拡散し逆拡散結果を出力する逆拡散手段と、前記逆拡散結果から希望波受信電力を測定する希望波受信電力測定手段と、前記希望波受信電力と前記合成後の干渉波受信電力とから希望波受信電力対干渉波受信電力比を測定する希望波受信電力対干渉波受信電力比測定手段と、を具備する構成を採る。
【００１５】
この構成によれば、干渉波受信電力測定精度がフィンガに割り当てているパス数に依存することなく、干渉波受信電力を十分に平均化できる上に、受信状況に応じてアンテナ毎に合成するので、干渉波受信電力測定精度が向上し、希望波受信電力対干渉波受信電力比の測定精度を安定させることができる。
【００１６】
【発明の実施の形態】
本発明の骨子は、遅延プロファイル中でパスが無いと判断されるサンプルの相関電力値の平均値を干渉波受信電力として算出することによって、干渉波受信電力の測定精度を安定させることである。
【００１７】
以下、本発明の実施の形態について、図面を用いて詳細に説明する。
【００１８】
（実施の形態１）
図１は、本発明の実施の形態１に係るＣＤＭＡ受信装置の構成を示すブロック図である。
【００１９】
図１に示すＣＤＭＡ受信装置１００は、受信データから遅延プロファイルを算出する遅延プロファイル算出部１０１と、遅延プロファイル算出部１０１にて算出された遅延プロファイル中のどのサンプルをマスク処理するかを判定するのに用いるマスクしきい値を算出するマスクしきい値算出部１０２と、遅延プロファイル算出部１０１にて算出された遅延プロファイル及びマスクしきい値算出部１０２にて算出されたマスクしきい値に基づき、相関電力値がマスクしきい値以上のサンプルをマスク処理する遅延プロファイルマスク処理部１０３と、遅延プロファイルマスク処理部１０３にてマスク処理されたマスク後の遅延プロファイルを用いて、マスク処理されていないサンプルの平均相関電力値を算出する平均相関電力値算出部１０４と、遅延プロファイル算出部１０１にて算出された遅延プロファイルを用いてパスサーチ処理を行い、割り当てるパスのパス位相情報を出力するパス割り当て部１０５とを備えている。
【００２０】
図１に示すＣＤＭＡ受信装置１００は、さらに、パス割り当て部１０５が出力するパス位相情報に基づき受信データの逆拡散処理を行う複数の逆拡散部１０６Ａ，・・，１０６Ｂを備えるフィンガ部１０６と、パイロットシンボルの受信位相に基づきチャネル推定を行い、フィンガ部１０６が備える複数の逆拡散部１０６Ａ，・・，１０６Ｂの対応する逆拡散部が出力する逆拡散データを同期検波する複数の同期検波部１０７Ａ、・・、１０７Ｂと、複数の同期検波部１０７Ａ、・・、１０７Ｂによる同期検波結果をＲａｋｅ合成し、出力するＲａｋｅ合成部１０８とを備えている。
【００２１】
次に、以上のように構成されたＣＤＭＡ受信装置の動作について、図２を用いて説明する。
【００２２】
図２（１）：遅延プロファイル算出部１０１では、既知データであるパイロットシンボルに拡散処理を施して既知信号レプリカを生成し、既知信号レプリカと直交検波出力のＩ成分、Ｑ成分のそれぞれについて相関を計算して相関電力値を求め、遅延プロファイルを算出する。
【００２３】
図２（２）：マスクしきい値算出部１０２では遅延プロファイル中の最大相関電力値からＡｄＢだけ差し引いた相関電力値をマスクしきい値として算出する。ここで、Ａは予め定められた定数である。
【００２４】
図２（３）：遅延プロファイルマスク処理部１０３では、マスクしきい値を用いて、相関電力値がマスクしきい値以上のサンプルを希望波成分と見なしてマスク処理をする。つまり、相関電力値を０に置き換えて、平均相関電力値算出対象サンプルから除外する処理を行ってマスク後遅延プロファイルを作成する。このマスク後遅延プロファイルは、干渉波成分の相関電力値だけが残されているとみなすことができる。
【００２５】
図２（４）：平均相関電力値算出部１０４では、マスク処理されていないサンプルで相関電力値の平均を算出し、それを干渉波受信電力ＩＳＣＰとして出力する。
【００２６】
その結果、本実施の形態１におけるＣＤＭＡ受信装置では、フィンガに割り当てているパス数に依存することなく、干渉波受信電力を十分に平均化することができるので、従来のＣＤＭＡ受信装置に比べて、干渉波受信電力の測定精度を安定させることができる。
【００２７】
（実施の形態２）
図３は、本発明の実施の形態２に係るＣＤＭＡ受信装置の構成を示すブロック図である。なお、図３では、実施の形態１（図１）にて示した構成と同等ないしは同一である構成には、同一の符号が付されている。ここでは、実施の形態２に関わる部分を中心に説明する。
【００２８】
図３に示すＣＤＭＡ受信装置３００は、アンテナ毎に、干渉波受信電力測定部３０１Ａ，・・，３０１Ｂが設けられている。干渉波受信電力測定部３０１Ａ，・・，３０１Ｂは、それぞれ、実施の形態１（図１）にて示した遅延プロファイル算出部１０１と、マスクしきい値算出部１０２と、遅延プロファイルマスク処理部１０３と、平均相関電力値算出部１０４とを一組として構成されている。
【００２９】
干渉波受信電力測定部３０１Ａ，・・，３０１Ｂにおける平均相関電力値算出部１０４の出力（アンテナ毎の干渉波受信電力）は、乗算器３０２Ａ，・・，３０２Ｂの対応する乗算器の一方の入力になっている。
【００３０】
また、干渉波受信電力測定部３０１Ａ，・・，３０１Ｂにおける遅延プロファイル算出部１０１の出力（アンテナ毎の遅延プロファイル）は、パス割り当て部３０３に入力されている。
【００３１】
パス割り当て部３０３は、遅延プロファイルを用いてパスサーチ処理を行い、フィンガ部１０６が備える逆拡散部１０６Ａ，・・，１０６Ｂに割り当てるパスのパス位相情報を出力する。加えて、パス割り当て部３０３は、干渉波受信電力合成のためのアンテナ毎の重み係数を乗算器３０２Ａ，・・，３０２Ｂに出力する。
【００３２】
乗算器３０２Ａ，・・，３０２Ｂは、アンテナ毎の干渉波受信電力にアンテナ毎の重み係数を乗算して加算器３０４に出力する。加算器３０４は、重み係数が乗算されたアンテナ毎の干渉波受信電力を加算し、出力する。
【００３３】
次に、以上のように構成されたＣＤＭＡ受信装置の動作について、図４を用いて説明する。
【００３４】
図４において、干渉波受信電力測定部４０１−０は、アンテナ＃０についての干渉波受信電力ＩＳＣＰ［０］を測定し、乗算器４０２−０の一方の入力に与える。乗算器４０２−０の他方の入力には、パス割り当て部３０３からアンテナ＃０についての重み係数ｍ［０］／ｍが与えられる。乗算器４０２−０の出力は、（ｍ［０］／ｍ）＊ＩＳＣＰ［０］であり、加算器４０３に入力される。
【００３５】
干渉波受信電力測定部４０１−１は、アンテナ＃１についての干渉波受信電力ＩＳＣＰ［１］を測定し、乗算器４０２−１の一方の入力に与える。乗算器４０２−１の他方の入力には、パス割り当て部３０３からアンテナ＃１についての重み係数ｍ［１］／ｍが与えられる。乗算器４０２−１の出力は、（ｍ［１］／ｍ）＊ＩＳＣＰ［１］であり、加算器４０３に入力される。
【００３６】
干渉波受信電力測定部４０１−ｎは、アンテナ＃ｎについての干渉波受信電力ＩＳＣＰ［ｎ］を測定し、乗算器４０２−ｎの一方の入力に与える。乗算器４０２−ｎの他方の入力には、パス割り当て部３０３からアンテナ＃ｎについての重み係数ｍ［ｎ］／ｍが与えられる。乗算器４０２−ｎの出力は、（ｍ［ｎ］／ｍ）＊ＩＳＣＰ［ｎ］であり、加算器４０３に入力される。
【００３７】
その結果、加算器４０３の出力に、全アンテナを合成させた干渉波受信電力ＩＳＣＰが得られる。即ち、ＩＳＣＰ＝（ｍ［０］／ｍ）＊ＩＳＣＰ［０］＋（ｍ［１］／ｍ）＊ＩＳＣＰ［１］＋・・・＋（ｍ［ｎ］／ｍ）＊ＩＳＣＰ［ｎ］が得られる。
【００３８】
なお、ｍ［ｋ］は、アンテナ＃ｋにてフィンガに割り当てているパスの数である。また、ｍは、全フィンガ割り当て数（即ち、ｍ＝ｍ［０］＋ｍ［１］＋・・・＋ｍ［ｎ］）である。
【００３９】
このように、本実施の形態２におけるＣＤＭＡ受信装置によれば、フィンガに割り当てているパス数に依存することなく、干渉波受信電力を十分に平均化できる上に、受信状況に応じてアンテナ毎に合成するので、従来のＣＤＭＡ受信装置に比べて、干渉波受信電力測定精度が向上する。
【００４０】
（実施の形態３）
図５は、本発明の実施の形態３に係るＣＤＭＡ受信装置の構成を示すブロック図である。なお、図５では、実施の形態２（図３）にて示した構成と同等ないしは同一である構成には、同一の符号が付されている。ここでは、実施の形態３に関わる部分を中心に説明する。
【００４１】
図５に示すＣＤＭＡ受信装置５００は、実施の形態２（図３）にて示した構成において、複数の逆拡散部１０６Ａ，・・，１０６Ｂを備えるフィンガ部１０６に代えて複数の逆拡散部５０１Ａ，・・，５０１Ｂを備えるフィンガ部５０１が設けられている。それに伴い、希望波受信電力測定部５０３と希望波受信電力対干渉波受信電力比測定部５０４とが設けられている。
【００４２】
フィンガ部５０１が備える複数の逆拡散部５０１Ａ，・・，５０１Ｂは、パス割り当て部３０３が出力するパス位相情報に基づき受信データの逆拡散処理を行い、その逆拡散データを複数の同期検波部１０７Ａ、・・、１０７Ｂの対応する同期検波部に出力するとともに、希望波受信電力測定部５０３に出力する。
【００４３】
希望波受信電力測定部５０３は、逆拡散データから希望波受信電力を測定し、希望波受信電力対干渉波受信電力比測定部５０４に出力する。
【００４４】
希望波受信電力対干渉波受信電力比測定部５０４は、入力された希望波受信電力と、加算器３０４の出力（合成後の干渉波受信電力）とに基づき希望波受信電力対干渉波受信電力比ＳＩＲを算出し、出力する。
【００４５】
次に、以上のように構成されたＣＤＭＡ受信装置の動作について、図６を用いて説明する。
【００４６】
希望波受信電力測定部５０３は、フィンガ＃１についてのパイロットシンボル逆拡散データから希望波受信電力ＲＳＣＰ［１］を測定し（６０１−１）、内部の加算器６０２に与える。
【００４７】
希望波受信電力測定部５０３は、フィンガ＃２についてのパイロットシンボル逆拡散データから希望波受信電力ＲＳＣＰ［２］を測定し（６０１−２）、内部の加算器６０２に与える。
【００４８】
希望波受信電力測定部５０３は、フィンガ＃ｍについてのパイロットシンボル逆拡散データから希望波受信電力ＲＳＣＰ［ｍ］を測定し（６０１−ｍ）、内部の加算器６０２に与える。
【００４９】
その結果、加算器６０２の出力には、フィンガ間で合成した希望波受信電力が得られる。そして、希望波受信電力対干渉波受信電力比測定部５０４にて、このフィンガ間で合成した希望波受信電力ＲＳＣＰと加算器３０４の出力（アンテナ間で合成された干渉波受信電力ＩＳＣＰ）に基づき希望波受信電力対干渉波受信電力比ＳＩＲが求められる。
【００５０】
ここで、希望波受信電力測定部５０３では、次のようにしてフィンガ毎の希望波受信電力ＲＳＣＰ［ｋ］を測定する。
【００５１】
フィンガ毎に逆拡散されたパイロットシンボルデータを象限補正処理したものをＩ成分、Ｑ成分でそれぞれＳｘ［ｆ］［ｓ］．Ｉ、Ｓｘ［ｆ］［ｓ］．Ｑとする。ここで、ｆはフィンガ番号（ｆ＝１〜ｍ）、ｓはシンボル番号（ｓ＝１〜Ｎｐ）である。
【００５２】
Ｉ成分の希望波受信電力ＲＳＣＰ．Ｉ［ｆ］は、式（１）で求められる。
【数１】
2004134843.tif 000003
また、Ｑ成分の希望波受信電力ＲＳＣＰ．Ｑ［ｆ］は、式（２）で求められる。
【数２】
2004134843.tif 000004
その結果、フィンガ毎の希望波受信電力測定結果ＲＳＣＰ［ｆ］は、式（３）で求められる。
【数３】
2004134843.tif 000005
【００５３】
希望波受信電力対干渉波受信電力比測定部５０４には、式（３）に示すフィンガ毎の希望波受信電力測定結果ＲＳＣＰ［ｆ］がフィンガ間で合成され、式（４）に示す希望波受信電力ＲＳＣＰが入力される。
【数４】
2004134843.tif 000006
【００５４】
このように、本実施の形態３におけるＣＤＭＡ受信装置によれば、フィンガに割り当てているパス数に依存することなく、干渉波受信電力を十分に平均化できる上に、受信状況に応じてアンテナ毎に合成するので、従来のＣＤＭＡ受信装置に比べて、干渉波受信電力測定精度が向上し、希望波受信電力対干渉波受信電力比測定精度が安定するようになる。
【００５５】
【発明の効果】
以上説明したように、本発明によれば、遅延プロファイルにおいて干渉波成分と見なせる相関電力値を平均することによって、干渉波成分の電力値を十分に平均化できるので、干渉波受信電力の測定精度を安定させることができる。
【図面の簡単な説明】
【図１】本発明の実施の形態１に係るＣＤＭＡ受信装置の構成を示すブロック図
【図２】本発明の実施の形態１に係るＣＤＭＡ受信装置の動作を説明するための図
【図３】本発明の実施の形態２に係るＣＤＭＡ受信装置の構成を示すブロック図
【図４】本発明の実施の形態２に係るＣＤＭＡ受信装置の動作を説明するための図
【図５】本発明の実施の形態３に係るＣＤＭＡ受信装置の構成を示すブロック図
【図６】本発明の実施の形態３に係るＣＤＭＡ受信装置の動作を説明するための図
【図７】従来のＣＤＭＡ受信装置の構成を示すブロック図
【符号の説明】
１００，３００，５００　ＣＤＭＡ受信装置
１０１　遅延プロファイル算出部
１０２　マスクしきい値算出部
１０３　遅延プロファイルマスク処理部
１０４　平均相関電力値算出部
１０５，３０３　パス割り当て部
１０６，５０１　フィンガ部
１０６Ａ，１０６Ｂ，５０１Ａ，５０１Ｂ　逆拡散部
１０７Ａ，１０７Ｂ　同期検波部
１０８　Ｒａｋｅ合成部
３０１Ａ，３０１Ｂ　干渉波受信電力測定部
３０２Ａ，３０２Ｂ　乗算器
３０４　加算器
５０３　希望波受信電力測定部
５０４　希望波受信電力対干渉波受信電力比測定部
【図１】
2004134843.tif 000007
【図２】
2004134843.tif 000008
【図３】
2004134843.tif 000009
【図４】
2004134843.tif 000010
【図５】
2004134843.tif 000011
【図６】
2004134843.tif 000012
【図７】
2004134843.tif 000013